【事件の表示】
　特願２００１−１３９２４９「緊急通信方法及び基地局制御装置」拒絶査定不服審判事件〔平成１４年　１月　９日出願公開、特開２００２−　　６０２８〕について、次のとおり審決する。
【結　論】
　本件審判の請求は、成り立たない。
【理　由】
１．手続きの経緯
　　
　本願は、平成１０年８月６日に出願した特願平１０−２５７４７１号の一部を平成１３年５月９日に新たな特許出願としたものであって、平成１７年１０月２０日付けで拒絶査定がなされ、これに対して平成１７年１１月２４日に拒絶査定に対する審判が請求されるとともに、同年１２月２１日付けで手続補正がなされたものである。
　　
２．平成１７年１２月２１日付けの手続補正についての補正却下の決定
　　
［補正却下の決定の結論］
　　
　平成１７年１２月２１日付け手続補正（以下、「本件補正」という。）を却下する。
　　
［理由］
　　
（１）補正後の本願発明
　　
　本件補正により、少なくとも特許請求の範囲の請求項１は次のとおり補正された。
　　
　「【請求項１】　ＣＤＭＡを用いて基地局と移動通信装置とが通信する通信システムにおいて、緊急発呼要求の信号を送信した移動通信装置の位置を決定するために用いる緊急通信方法であって、
　前記移動通信装置から送信された緊急発呼要求の信号を受信した基地局の数が前記移動通信装置の位置を決定するのに充分か否かを判断し、
　前記受信した基地局の数が前記移動通信装置の位置を決定するのに充分でないと判断されたときに、前記移動通信装置と通信する基地局から前記移動通信装置に緊急通信のためにのみ使用される電力レベルであって前記緊急通信以外で許容された範囲よりも高い電力レベルにて伝送することを指示するコマンドを送信することを特徴とする緊急通信方法。」
　　
　上記補正は、請求項１に記載した発明を特定するために必要な事項である「緊急発呼要求の信号を送信した移動通信装置の位置を決定するために用いる緊急通信方法」について、「ＣＤＭＡを用いて基地局と移動通信装置とが通信する通信システムにおいて、」との限定を付加するものであって、特許法第１７条の２第４項第２号の特許請求の範囲の減縮を目的とするものに該当する。
　　
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　　
　　
（２）引用例及び周知例
　　
（ａ）原査定の拒絶の理由に引用された国際公開９８／１０３０６号パンフレット（１９９８年３月１２日出願公開。以下、「引用例」という。）には、図面とともに、以下の事項（ア）〜（キ）が記載されている。
　　
（ア）「　　METHOD AND APPARATUS FOR LOCATION FINDING
　　　　　　　　　　IN A COMMUNICATION SYSTEM
　　　
　　　　　　　　　　　　Field of the Invention
　　　　The present invention relates, in general, to wireless communication systems and, more particularly, to a method and apparatus for locating a subscriber unit in a Code Division Multiple Access (CDMA) wireless communication system.
　　
　　　　　　　　　　　Background of the Invention
　　　　In a wireless communication system it is often desirable to locate users who are making calls. Applications for such a technology would include 911-emergency services, so that police/fire/ambulance services could be dispatched to a user making a call. Other applications would include fraud detection, police investigations, and the like.」（第１頁第１行〜第１５行）
　　
＜訳＞　　　通信システムにおける位置発見方法および装置
　　
　　　　　　　　　　　　　　発明の分野
　本発明は、一般にワイヤレス通信システムに関し、さらに詳しくは、符号分割多重接続（CDMA）ワイヤレス通信システムにおいて加入者ユニットの位置を特定する方法および装置に関する。
　　
　　　　　　　　　　　　　　発明の背景
　ワイヤレス通信システムにおいては、発呼するユーザの位置を特定することが望ましい場合が多い。このような技術の用途としては、警察／消防／救急車のサービスを発呼中のユーザに派遣できるようにする９１１緊急サービスが含まれる。他の用途としては、不正発見，警察捜査などがある。
　　
　　
（イ）「　　　　　　Brief Description of the Drawings
・・・（中略）・・・
　　　　FIG. 1 is a simplified diagram illustrating a cellular system which may employ the present invention;
　　　　FIG. 2 is a block diagram of a CDMA receiver at a subscriber unit according to a first embodiment of the invention; 
　　　　FIG. 3 is a diagram illustrating location finding of a CDMA subscriber unit according to an embodiment of the invention;
　　　　FIG. 4 is a diagram illustrating a timing sequence used in determining propagation delay for location of a CDMA subscriber unit according to an embodiment of the invention;
　　　　FIG. 5 is a block diagram of a CDMA receiver at a base station according to an embodiment of the invention;
　　　　FIG. 6 is a timeline diagram illustrating propagation and delay times used in calculating a subscriber according to an embodiment of the invention;
　　　　FIG. 7 is a flow chart illustrating the process by which a subscriber measures base station signals according to an embodiment of the invention;
　　　　FIG. 8 is a flow chart illustrating the process by which a base station measures subscriber signals according to an embodiment of the invention;」（第３頁第２５行〜第４頁第１６行）
　　
＜訳＞　　　　　　　　　図面の簡単な説明
　　
　第１図は、本発明を採用するセルラ・システムを示す概略図である。
　第２図は、本発明の第１実施例による加入者ユニットのCDMA受信機のブロック図である。
　第３図は、本発明の実施例によるCDMA加入者ユニットの位置発見を示す図である。
　第４図は、本発明の実施例により、CDMA加入者ユニットの位置に関する伝播遅延を決定するために用いられるタイミング・シーケンスを示す図である。
　第５図は、本発明の実施例による基地局におけるCDMA受信機のブロック図である。
　第６図は、本発明の実施例により加入者を計算するために用いられる伝播および遅延時間を示すスケジュール図である。
　第７図は、本発明の実施例により加入者が基地局信号を測定するプロセスを示す流れ図である。
　第８図は、本発明の実施例により基地局が加入者信号を測定するプロセスを示す流れ図である。
　　
　　
（ウ）「　　　　　 Detailed Description of the Drawings
　　　　A first embodiment of the invention is a system for determining the location of a user in a Code Division Multiple Access (CDMA) cellular system. Using the CDMA modulation information, an estimate of the time of flight or propagation is made of the first arriving ray at a subscriber unit. The first ray received typically represents the shortest path between the base and subscriber, and the time of flight estimate allows the calculation of the distance between the subscriber and the base station. By calculating the distance to multiple, e.g., three, sites, a specific subscriber location can be calculated limited by the accuracy's of the measurement timing and other processing delays.
　　　　In the first embodiment the time of flight of the signal between each base and subscriber is calculated automatically within a correlation receiver. The processing steps involve the transmission of a Pseudo Noise (PN) sequence coded signal time-aligned to under a chip accuracy (e.g., l/16th of a chip), and correlating on this signal at the receiver using a correlation algorithm. Because the modulation sequence (e.g., a PN sequence) is known and used in synchronization/despreading, a precise time of reception of a given chip can be determined. By determining reception time for multiple related signals, a time delay can be calculated and used to determine a position estimate.
　　　　In one implementation, the subscriber uses known PN sequence and offset information to determine which related PN chips from different bases (standard and /or auxiliary bases) that were transmitted at the same time, and also determines the time of reception of these related chips. From the difference between the reception times, a time differential and thus distance differential is determined. Using the distance differentials and known positions of the bases, a position estimate is determined. Where a subscriber is only in communication with one or two bases, additional bases may be forced into an active set (including auxiliary sites, if needed) so that time measurements can be made by the subscriber.
　　　　In another implementation, receiving base sites are controlled to make time measurements of selected chips, and the difference in receive time is used to similarly calculate the subscriber position. Where additional receive sites are needed because of interference and the like, auxiliary sites are controlled so as to receive the signals transmitted from the subscriber unit. If necessary, in case of an emergency, the subscriber unit is powered up to a maximum power level such that at least three base stations can receive and make a time estimate of the signal.」（第５頁第１行〜第６頁第１１行）
　　
＜訳＞　　　　　　　　 　図面の詳細説明
　本発明の第１実施例は、符号分割多重接続（CDMA）セルラ・システムにおいてユーザの位置を決定するシステムである。CDMA変調情報を用いて、加入者ユニットにおける第１到着電波から、進行または伝播時間の推定値が得られる。第１被受信電波は、通常は基地と加入者との間の最短経路を表し、進行時間推定値により、加入者と基地局との間の距離を計算することができる。複数の、たとえば３つのサイトへの距離を計算することによって、測定タイミングの精度や、その他の処理遅延により制限される特定の加入者位置を計算することができる。
　第１実施例においては、各基地と加入者との間の信号の進行時間は、相関受信機内で自動的に計算される。処理段階には、チップ精度（たとえばチップの１／１６）未満まで時間整合される疑似ノイズ（PN）シーケンス符号化信号の送信と、相関アルゴリズムを用いて受信機においてこの信号を相関する段階とが含まれる。変調シーケンス（たとえばPNシーケンス）は既知であり、同期／拡散解除に用いられるので、特定のチップの受信の正確な時刻を決定することができる。複数の関連信号に関して受信時刻を決定することにより、時間的遅延を計算して、位置推定値を決定するために用いることができる。
　ある実行例においては、加入者は既知のPNシーケンスとオフセット情報とを用いて、同時に送信された異なる基地（標準的および／または補助基地）からの関連のPNチップのうちいずれかを決定し、また、これらの関連チップの受信時刻を決定する。受信時刻間の差から、時間差すなわち距離差が決定される。基地の距離差と既知位置を用いて、位置推定値が決定される。ある加入者が１つまたは２つの基地とのみ通信する場合は、追加の基地が強制的に能動集合（必要な場合は補助サイトを含む）に入れられ、加入者による時間測定を可能にする。
　別の実行例においては、受信側の基地サイトは選択されるチップの時間測定を行うよう制御され、受信時刻における差を用いて加入者位置を同様に計算する。干渉などのために別の受信サイトが必要とされる場合は、補助サイトを制御して、加入者ユニットから送信される信号を受信する。必要に応じて、緊急の場合は、加入者ユニットを最大電力レベルまで電源投入して、少なくとも３つの基地局が受信することができ、信号の時間推定値を得ることができるようにする。
　　
　　
（エ）「A preferred approach, however, for location using infrastructure equipment can be seen with reference now to FIG. 5, which generally depicts a block diagram of a CDMA infrastructure system 300 having a first CDMA base station 301. Base 301 has a common RF front end 305 which feeds four independent rake inputs, shown as 310, 320, ... 330. These rakes can lock onto four different received rays that are at least one PN chip time apart, which is typical of a DSSS receiver. The two searchers 340 scan for new correlation peaks, and can reassign the rakes based on its best estimate of current channel conditions. Normally, the four correlators of rakes 310, 320, 330 lock onto the four strongest rays that are available.
　　　　When a location finding function is desired, two general approaches are available? either passive (i.e., no subscriber unit response) or active. In either case it is preferable to find at least three different base stations capable of receiving a subscriber signal, so that sufficient information is available to estimate the location. In a first embodiment passive mode, four rake branches 310, 320 ... 330 of base 301 are used to detect an uplink signal. From each rake, a Delay Lock Loop (DLL) is used to generate an estimate of the timing (i.e., adjustment) of the correlated ray. This more accurately estimates the time of the correlation, similar to the process used by the subscriber unit above. Searcher and Chip /Time Detector 340 peak correlates the signal on each branch, and also determines the best branch to use (preferably based on the earliest received peak for the same chip, but other selection techniques may be used to determine a current best branch); this best branch signal is used in determining PN chip and receive time information, similar to that in subscriber searcher 240.
　　　　To initiate a location process, in a preferred embodiment a command is initiated within the system 300, most likely at a regional entity such as a mobile switching center (MSC) 365, operations center, or perhaps within a connected network such as PSTN (public switched telephone network) 375. A location request is then processed via home location register (HLR) 366 to determine the currently serving base station(s). Upon receipt of a location command, processor 350 of base 301 (and similar processors of other serving bases) uses detector 340 to determine a chip receive time. Preferably this is accomplished by all bases determining the leading edge rise time of a specified group of PN chips, for example by determining the rise time for each 64th chip (i.e., PN sequence number 0, 64, 128, etc.) for a predetermined number of chips, e.g., 10. This information is then forwarded by each base receiver, along with its ID (identification), to a designated entity, e.g. location searcher 361 of BSC (base site controller) 360, or location searcher 367 of HLR 366, etc.. Thus, the difference in receive time for the same chips, each chip being derived from the same single chip transmission, may be used to determine propagation delay differences. In other words, for each chip number the differential between receive times at the different bases yields a propagation difference, and location may be determined from this information in conjunction with the known location of the receiving bases, in a similar manner as described above with FIG. 4.」（第１１頁第１１行〜第１２頁第２８行）
　　
＜訳＞　しかし、インフラストラクチャを用いる位置特定の好適な方法は、第５図を参照して見ることができる。第５図は、第１CDMA基地局３０１を有するCDMAインフラストラクチャ・システム３００のブロック図を一般的に示す。基地３０１は、３１０，３２０，...３３０と示される４つの独立レーキ入力に給電する共通RFフロント・エンド３０５を有する。これらのレーキは、DSSS受信機には典型の少なくとも１PNチップ時間だけ隔てられる４つの異なる被受信電波にロックすることができる。２つのサーチャ３４０が新しい相関ピークを走査し、現行のチャネル条件の最良推定値に基づきレーキを再割り当てすることができる。通常、レーキ３１０，３２０，３３０の４つの相関器は、可能な最も強力な４つの電波にロックする。
　位置発見機能を望む場合、２つの一般的な方法が可能である。すなわち受動的（すなわち加入者ユニット応答がない）方法と、能動的方法である。いずれの場合にも、位置を推定するために充分な情報を入手できるように、加入者信号を受信することのできる少なくとも３つの異なる基地局を発見することが好ましい。第１実施例の受動モードにおいては、基地３０１の４つのレーキ・ブランチ３１０，３２０...３３０を用いて、アップリンク信号を検出する。各レーキからは、遅延ロック・ループ（DLL）を用いて、相関電波のタイミング（すなわち調整）推定値を生成する。これにより、上記の加入者ユニットにより用いられるプロセスと同様に、より正確な相関時刻が推定される。サーチャおよびチップ／時刻検出器３４０は、各ブランチにおいて信号をピーク相関させ、また用いるのに最良のブランチを決定する（好ましくは同一チップに関して最も早く受信されたピークに基づくが、現行で最良のブランチを決定するための他の選択法を用いてもよい）；加入者サーチャ２４０の場合と同様に、PNチップおよび受信時刻情報の決定に際して、この最良のブランチ信号を用いる。
　位置特定プロセスを開始するために、好適な実施例においては、システム３００内でコマンドが発される。これは、移動交換センター(MSC）３６５，オペレーション・センターなどの地域装置において、あるいはPSTN（公衆電話交換網）３７５などの接続ネットワーク内で行われることが多い。位置要求は、ホーム位置レジスタ（HLR）３６６を介して処理され、現在サービスを提供中の基地局を決定する。位置コマンドを受信すると、基地３０１のプロセッサ３５０（および他のサービス提供中基地の同様のプロセッサ）は検出器３４０を用いて、チップ受信時刻を決定する。好ましくは、これは、PNチップの指定されたグループの先端立ち上がり時刻を決定するすべての基地により、たとえば、所定のチップ数たとえば１０に関して６４番目毎のチップ（すなわちPNシーケンス番号　０，６４，１２８など）の立ち上がり時刻を決定することにより実行される。この情報は、次に、各基地受信機によって、そのID（識別子）と共に指定された装置、たとえばBSC（基地サイト・コントローラ）３６０の位置サーチャ３６１またはＨＬＲ３６６の位置サーチャ３６７に送られる。かくして、各々が同一の１回のチップ送信に由来する同じチップに関する受信時刻の差を用いて、伝播遅延差を決定することができる。言い換えると、各チップ番号毎に、異なる基地における受信時刻間の差が伝播差を生み、第４図に上述されるのと同様の方法で受信基地の既知の位置と組み合わせて、この情報から位置を決定することができる。
　　
　　
（オ）「Returning to FIG. 5, at the same time the system controls base 301 to send the location request signal 351, it also notifies the other communicating bases to begin storing location information. Where there are less than 3 bases in communication (i.e., soft-handoff) or capable of receiving the subscriber signal, the originating entity (e.g., location searchers/processors 361 or 367) will command one or more auxiliary base stations, such as base 356, located in the vicinity of the serving bases to begin receiving at the subscriber's designated frequency. Thus, in the simplest implementation the auxiliary bases could be tunable receivers with a precise system clock (e.g., a GPS- corrected clock); if an auxiliary base was not connected via wireline to a BSC, the auxiliary base could be implemented as fixed subscriber unit (such as a wireless access fixed unit (WAFU)), the only difference from a subscriber being that the WAFU would be operating at system time (e.g., via the GPS clock). In this latter embodiment the WAFU would communicate its location response information via its own serving base station, e.g. base 301.」（第１５頁第１行〜第１７行）
　　
＜訳＞　第５図を参照して、システムが基地３０１を制御して位置要求信号３５１を送付するのと同時に、他の通信中基地に対して位置情報の格納を開始するよう通知する。通信中の（すなわちソフト・ハンドオフ状態の）あるいは加入者信号を受信することのできる基地が３つ未満の場合、発信装置（たとえば位置サーチャ／プロセッサ３６１または３６７）が、サービスを提供する基地の近隣に位置する基地３５６などの１つ以上の補助基地局に対し、加入者の指定された周波数において受信を開始するよう命令する。かくして、最も簡単な実行例においては、補助基地を精密なシステム・クロック（たとえばGPS修正クロック）をもつ可同調受信機とすることができる；配線を介してBSCに接続される補助基地がない場合は、補助基地を固定加入者ユニット（ワイヤレス・アクセス固定ユニット（WAFU）などの）として実現することもできる。加入者ユニットとの唯一の差は、WAFUがシステム時刻で（たとえばGPSクロックを介して）動作することである。この後者の実施例においては、WAFUは、それ自身のサービス提供中の基地局、たとえば基地３０１を介して位置応答情報を通信する。
　　
　　
（カ）「FIG. 8, generally designated as 500, is an illustrative flow chart of the process for the base stations measuring the subscriber unit to obtain a location estimate. The process starts in block 505 when the location function is activated. Block 510 checks the status of the subscriber and a decision is made 515 based on whether or not the subscriber is in 3-way soft handoff. If it is not, block 520 is optionally executed, which tests to see if there are three bases in the candidate set. If not, decision block 525 is tested to check the threshold of adding bases to the candidate set. If this is not at the minimum, block 530 reduces the threshold and returns to process step 520. If block 525 is at a minimum level already, block 535 is executed, which will continue the processing of the location estimation, but now with only two bases, which is less accurate than the desired case of having three bases in the measurements. Returning to block 515, if the subscriber is in 3-way soft handoff, or block 520 if three bases are in the candidate set, then block 540 is executed. Block 540 insures that the three base stations are active for receiving the subscriber's signal. Then block 545 is optionally executed. This block tests to see if each base can receive the subscriber. If each base can, block 550 is executed which sends a location request signal if in active mode, and in both modes collects the available data and processes the location estimate in the manner described above. Block 555 follows returning all parameters to normal and the measurements are complete. Returning to block 545, if less than three bases can receive the subscriber, block 546 tests to see if auxiliary base units are available. If so, the local auxiliary sites are activated in block 547, and block 560 tests to see if an emergency is indicated. If not, only the bases that are received can be used in the measurements, and this can degrade the quality of the estimate. If an emergency is indicated (e.g., by a subscriber signal such as the dialed digits 911, or emergency request from an authorized entity connected to the infrastructure), block 565 is executed to test if the subscriber unit is at maximum power. If not, block 570 is executed to increase the power and the process returns to block 540. If block 565 is at maximum power, block 575 tests to see if each base can receive the subscriber. If so, block 550 is executed; otherwise the cell loading is reduced by block 580 to increase the effective range of the cells in the active set that are having difficulty receiving the subscriber unit. Then block 585 tests to see if the load shedding limit has been reached, and if so, block 550 is executed; otherwise, decision block 575 is executed again to test to see if each base can now receive the subscriber.」（第２０頁第１４行〜第２１頁第２１行）
　　
＜訳＞　全体を５００と示される第８図は、位置推定値を得るために加入者を測定する基地局のプロセスの流れ図である。プロセスは、位置特定機能が起動されるとブロック５０５で開始される。ブロック５１０で加入者の状況がチェックされ、ブロック５１５で加入者が３方向のソフト・ハンドオフにあるか否かの意志決定がなされる。ノーの場合、ブロック５２０が任意で実行され、候補者集合内に３つの基地があるか否かが調べられる。ない場合は、意志決定ブロック５２５で、候補者集合に基地を追加する閾値がチェックされる。これが最小限度にない場合は、ブロック５３０で閾値を下げ、プロセス段階５２０に戻る。ブロック５２５ですでに最小レベルにある場合は、ブロック５３５が実行され、位置推定の処理が継続されるが、ここでは２つの基地のみで行われる。これは、測定に３つの基地を有する所望の場合よりも精度が低くなる。ブロック５１５に戻り、加入者が３方向のソフト・ハンドオフ状態にある場合、あるいはブロック５２０で候補者集合に３つの基地がある場合は、ブロック５４０が実行される。ブロック５４０では、３つの基地が加入者の信号を受信するために能動であることが確認される。次にブロック５４５が任意で実行される。このブロックは、各基地が加入者を受信することができるか否かを調べる。各基地が受信できる場合は、ブロック５５０が実行され、能動モードの場合は位置要求信号が送付され、いずれのモードでも上記の方法で、入手可能なデータが収集され、位置推定値が処理される。ブロック５５５が実行され、すべてのパラメータが正常に戻され、測定が完了する。ブロック５４５に戻って、加入者を受信することのできる基地が３つ未満の場合は、ブロック５４６で、補助基地ユニットが使用可能であるか否かが調べられる。使用可能な場合は、ローカルの補助サイトがブロック５４７で起動され、ブロック５６０で緊急が標示されるか否かが調べられる。ノーの場合は、受信される基地しか測定に用いることができず、これは推定値の品質低下を招く可能性がある。緊急が標示される場合（たとえば番号９１１がダイヤルされるなどの加入者信号または、インフラストラクチャに接続される認可装置からの緊急要求により）、ブロック５６５が実行されて、加入者ユニットが最大電力にあるか否かを調べる。ノーの場合は、ブロック５７０が実行されて電力を上げ、プロセスはブロック５４０に戻る。ブロック５６５が最大電力にある場合、ブロック５７５で各基地が加入者を受信することができるか否かを調べる。イエスの場合はブロック５５０が実行される；そうでない場合は、ブロック５８０によりセル負荷が削減されて、加入者ユニットを受信することが困難な能動集合内のセルの有効レンジを広げる。次にブロック５８５で、負荷発散の限界に到達したか否かを調べ、イエスの場合はブロック５５０が実行される；そうでない場合は、ブロック５７５をもう一度実行して、各基地が加入者を受信することができるか否かを調べる。
　　
（キ）第８B図のブロック５７０には、以下の記載がある。
　　「INSTRUCT SUBSCRIBER TO INCREASE POWER」
　＜訳＞　加入者に電力を上げるよう命令
　
　
　したがって、上記引用例には、以下の発明（以下、「引用発明」という。）が記載されている。
　　
　「ＣＤＭＡを用いて基地局と加入者ユニットとが通信するワイヤレス通信システムにおいて、警察／消防／救急車のサービスを発呼中のユーザに派遣できるように当該発呼するユーザの位置を特定するために用いる９１１緊急サービスを用途として含む通信方法であって、
　ユーザの位置を決定するため、基地局は加入者ユニットから送信される信号を受信して加入者位置を計算し、緊急の場合は、加入者ユニットを最大電力レベルまで電源投入して、位置を推定するために充分な情報を入手できるように少なくとも３つの基地局が受信して、加入者位置を計算できるようにするものであり、
　加入者から送信された、たとえば番号９１１がダイヤルされるなどの緊急が標示される信号を、３つの基地局が受信することができるか否かを調べ、
　前記受信することのできる基地局が３つ未満であるため、加入者の位置推定値の品質低下を招く可能性がある場合、加入者ユニットが最大電力にあるか否かを調べ、最大電力でなければ加入者に電力を上げるよう命令する緊急の場合の通信方法。」
　　
（ｂ）また、原査定時に周知技術として引用された特開平１０−４１８７５号公報（以下、「周知例」という。）には、以下の事項（ク）〜（ケ）が記載されている。
　
（ク）「【０００１】
【発明の属する技術分野】本発明は、可搬型の電話装置を使用した自動緊急通信機能付携帯電話装置および通信システムに関するものである。
・・・（略）・・・
【０００３】
【発明が解決しようとする課題】電波法で規定される緊急時には使用者の判断において許可された送信電力，周波数範囲を越えて送信することができる。しかしながら現状の電話装置では緊急時においても当該無線電話装置に許可された範囲を逸脱する緊急通信を行うことができない。
【０００４】また、緊急時において使用者に対して緊急通信を行っていることを認知させることができないという問題点があった。
【０００５】本発明は上記問題点を解決するためになされたもので、その目的は緊急時には無線基地局からの指示により送信出力の増加や送信周波数変更を可能とした自動緊急通信機能付携帯電話機を提供することと、緊急情報を使用者に伝達することができる通信システムを提供することにある。
【０００６】
【課題を解決するための手段】本発明にかかる自動緊急通信機能付携帯電話装置は、無線基地局との間で無線通信を行う受信手段と送信手段とを具備する携帯電話装置において、前記無線基地局からの緊急通信を意味する特定の制御信号を前記受信手段が受信したとき作動し、前記無線基地局からの指示により前記送信手段の送信出力の増加、送信周波数の変更を行う制御手段を備えたものである。」（第２頁第１欄第２１行〜同頁第２欄第８行）
　
（ケ）「【００１１】地震，火災等の災害発生時には、当該地域の無線基地局２００は緊急通信を意味する制御信号を送信する。これを、携帯電話装置１００は受信手段２で受信し、制御手段３を起動し、制御手段３が増幅率可変型の増幅手段１１と周波数設定手段１３，周波数選択手段２２を各々制御することにより、緊急通信用の通信周波数を用い、かつ通常よりも高い送信電力を用いて通信を行うようにする。」（第２頁第２欄第４０行〜第４７行）
　　
　すなわち、上記周知例に開示されているように、無線装置において、電波法で規定される緊急時には、許可された送信電力を越えて通常よりも高い送信電力を用いて通信することができる技術は、周知の技術である。
　　
　　
（３）対比
　　
　本願補正発明と引用発明とを対比すると、引用発明に記載された「ＣＤＭＡ」、「基地局」、「ワイヤレス通信システム」及び「緊急の場合の通信方法」は、それぞれ本願補正発明の「ＣＤＭＡ」、「基地局」、「通信システム」及び「緊急通信方法」に相当する。
　
　また、引用発明に記載された「加入者ユニット」及び「加入者」は、ともに基地局とワイヤレス通信するための装置であることは明らかであるから、本願補正発明の「移動通信装置」に相当する。
　
　また、引用発明に記載された「警察／消防／救急車のサービスを発呼中のユーザに派遣できるように当該発呼するユーザの位置を特定するために用いる９１１緊急サービスを用途として含む通信方法」は、加入者ユニットを用いて９１１緊急サービスの発呼をした当該加入者ユニットのユーザの位置を特定するために用いる９１１緊急サービスの通信方法を意味することから、本願補正発明における「緊急発呼要求の信号を送信した移動通信装置の位置を決定するために用いる緊急通信方法」に相当する。
　
　また、引用発明に記載された「加入者から送信された、たとえば番号９１１がダイヤルされるなどの緊急が標示される信号を、３つの基地局が受信することができるか否かを調べ、」というのは、加入者から送信された９１１緊急サービスのダイヤルによる信号を受信した基地局の数が３つあるか否かを調べることを意味し、更に、引用発明には、加入者の位置を計算して推定するために充分な情報を入手できるようにするには、少なくとも３つの基地局が受信すること、また、当該受信することのできる基地局が３つ未満であれば、加入者の位置推定値の品質低下を招く可能性があることが記載されていることから、引用発明に記載された「加入者から送信された、たとえば番号９１１がダイヤルされるなどの緊急が標示される信号を、３つの基地局が受信することができるか否かを調べ、」とは、本願補正発明における「前記移動通信装置から送信された緊急発呼要求の信号を受信した基地局の数が前記移動通信装置の位置を決定するのに充分か否かを判断し、」ということに相当する。
　
　また、引用発明に記載された「前記受信することのできる基地局が３つ未満であるため、加入者の位置推定値の品質低下を招く可能性がある場合、加入者ユニットが最大電力にあるか否かを調べ、最大電力でなければ加入者に電力を上げるよう命令する」とは、加入者から送信された信号を受信することのできる基地局が３つ未満では、加入者の位置推定値として品質低下を招き充分でなく、その場合は加入者の位置を推定するために充分な情報を基地局が入手できるように少なくとも３つの基地局が受信できるように、加入者に電力を上げるように命令することを意味するから、引用発明における当該記載は、本願補正発明における「前記受信した基地局の数が前記移動通信装置の位置を決定するのに充分でないと判断されたときに、前記移動通信装置に高い電力レベルにて伝送することを指示する」ことに相当する。
　　
　したがって、本願補正発明と引用発明は、以下の点で一致ないし相違する。
　　
＜一致点＞
　「ＣＤＭＡを用いて基地局と移動通信装置とが通信する通信システムにおいて、緊急発呼要求の信号を送信した移動通信装置の位置を決定するために用いる緊急通信方法であって、
　前記移動通信装置から送信された緊急発呼要求の信号を受信した基地局の数が前記移動通信装置の位置を決定するのに充分か否かを判断し、
　前記受信した基地局の数が前記移動通信装置の位置を決定するのに充分でないと判断されたときに、前記移動通信装置に高い電力レベルにて伝送することを指示することを特徴とする緊急通信方法。」
　　
＜相違点＞
　相違点１
　移動通信装置から送信された緊急発呼要求の信号を受信した基地局の数が、前記移動通信装置の位置を決定するのに充分でないと判断されたときに、前記移動通信装置に高い電力レベルにて伝送することの指示が、本願補正発明では、移動通信装置と通信する基地局から、コマンドを送信することによって行われるのに対し、引用発明では、移動通信装置と通信する基地局から、コマンドを送信することで行われているのか否かについて、明記されていない点。
　
　相違点２
　移動通信装置から送信された緊急発呼要求の信号を受信した基地局の数が、前記移動通信装置の位置を決定するのに充分でないと判断されたときに、前記移動通信装置に伝送することを指示される「高い電力レベル」とは、本願補正発明では、緊急通信のためにのみ使用される電力レベルであって前記緊急通信以外で許容された範囲よりも高い電力レベルであるのに対し、引用発明では、最大電力でなければ電力レベルを上げることが記載されているが、当該最大電力でなければ上げるように指示される高い電力レベルが、緊急通信のためにのみ使用される電力レベルであって前記緊急通信以外で許容された範囲よりも高い電力レベルであるか否かについて、記載されていない点。
　　
　　　　
（４）当審の判断
　　
　上記相違点について検討する。
　　
　相違点１について
　上記引用例の記載事項（オ）〜（キ）及び基地局のプロセスの流れ図である第８図（第８Ａ図、第８Ｂ図）（加入者の位置推定値を得るため、ブロック５７０には、「加入者に電力を上げるよう命令」と記載されている。）を参照すると、引用発明において、移動通信装置に高い電力レベルにて伝送することを指示するのは、移動通信装置にサービス中の基地局、すなわち本願補正発明と同様に、移動通信装置と通信する基地局であることは明らかである。
　また、引用発明における基地局と加入者ユニットとの間はワイヤレス通信で信号を送信するものであり、基地局から加入者ユニットへの指示は、ワイヤレス通信により「加入者に電力を上げるよう命令」する信号を送信するものであるといえる。したがって、引用発明においても、基地局から移動通信装置に高い電力レベルにて伝送することを指示するのは、本願補正発明と同様に、前記命令の信号である「コマンド」を「送信する」ことで行われることは明らかである。
　
　相違点２について
　上記引用例の記載事項（カ）〜（キ）及び第８図を参照すると、引用発明に記載された、「加入者ユニットが最大電力にあるか否かを調べ、最大電力でなければ加入者に電力を上げるよう命令する」という処理に対応する基地局のプロセスにおけるブロック５６５、及びブロック５７０が実行されるのは、その前段のブロック５６０において、加入者からの信号が緊急標示されたものであるかどうかを判断して緊急標示されたものである場合にのみであることが記載されているから、引用発明において、最大電力でなければ加入者ユニットに電力レベルを上げるように指示される高い電力レベルとは、加入者からの信号が緊急通信の場合にのみ実行される電力レベルであるといえる。
　そして、上記「２．（２）（ｂ）」で示したとおり、無線装置の技術分野において、電波法で規定される緊急時には、許可された送信電力を越えて通常よりも高い送信電力を用いて通信することができる技術は周知の技術であるから、引用発明に記載された緊急通信の場合にのみ実行される、移動通信装置に伝送することを指示される高い電力レベルとして、上記周知技術を採用し、本願補正発明と同様に、緊急通信のためにのみ使用される電力レベルであって前記緊急通信以外で許容された範囲よりも高い電力レベルとすることは、当業者が容易になし得ることである。
　　
　そして、本願補正発明のように構成したことによる効果も、上記引用発明及び周知技術から予測できる程度のものである。
　　
　よって、本願補正発明は、上記引用発明及び周知技術に基づいて当業者が容易に発明をすることができたものであるから、特許法第２９条第２項の規定により特許を受けることができない。
　　
（５）むすび
　　
　したがって、本願補正発明は、上記（４）で示したとおり、特許出願の際独立して特許を受けることができないから、本件補正は、特許法第１７条の２第５項で準用する同法第１２６条第５項の規定に違反するものであり、特許法第１５９条第１項で準用する特許法第５３条第１項の規定により却下すべきものである。
　　
　　
３．本願発明
　　
　平成１７年１２月２１日付けの手続補正は上記のとおり却下されたので、本願の請求項１に係る発明（以下、「本願発明」という。）は、平成１７年９月１５日付け手続補正書の特許請求の範囲の請求項１に記載された事項により特定される、以下のとおりのものである。
　　
　「【請求項１】　緊急発呼要求の信号を送信した移動通信装置の位置を決定するために用いる緊急通信方法であって、
　前記移動通信装置から送信された緊急発呼要求の信号を受信した基地局の数が前記移動通信装置の位置を決定するのに充分か否かを判断し、
　前記受信した基地局の数が前記移動通信装置の位置を決定するのに充分でないと判断されたときに、前記移動通信装置と通信する基地局から前記移動通信装置に緊急通信のためにのみ使用される電力レベルであって前記緊急通信以外で許容された範囲よりも高い電力レベルにて伝送することを指示するコマンドを送信することを特徴とする緊急通信方法。」
　　
４．当審の判断
　　
（１）引用例及び周知例
　　　
　原査定の拒絶の理由に引用された引用例及び周知例に関する記載事項は、前記「２．（２）」に記載したとおりである。
　　
（２）対比・判断
　　
　本願発明は、前記２．で検討した本願補正発明から、「緊急発呼要求の信号を送信した移動通信装置の位置を決定するために用いる緊急通信方法」について、「ＣＤＭＡを用いて基地局と移動通信装置とが通信する通信システムにおいて、」との限定を省いたものである。
　　
　そうすると、本願発明の構成要件を全て含み、さらに他の構成要件を付加したものに相当する本願補正発明が、前記「２．（４）」に記載したとおり、上記引用発明及び周知技術に基づいて、当業者が容易に発明をすることができたものであるから、本願発明も同様の理由により、上記引用発明及び周知技術に基づいて、当業者が容易に発明をすることができたものである。
　　
５．むすび
　　
　以上のとおり　本願発明は、上記引用発明及び周知技術に基づいて、当業者が容易に発明をすることができたものであるから、特許法第２９条第２項の規定により特許を受けることができない。
　したがって、本願は、他の請求項について論及するまでもなく、拒絶すべきものである。
　　
　よって結論のとおり審決する。